(57)【要約】【課題】バック側周壁部の剛性を過度に高めることなく、ヘッドの重心位置をバック側周壁部寄りの適切な位置に設定し、打球方向性を安定させるとともに飛距離を増大させる。【解決手段】ゴルフクラブヘッド１０を構成するバック側周壁部２２のうち、ソール部２０寄りの部位に、ソール部２０に対して略平行となるプレート部２６を突出形成することにより、重心位置がフェース部材１６から離間した後方側に設定されるとともに、低く設定される。【選択図】図２
2005152529.tif 000002
【特許請求の範囲】
【請求項１】
内部を中空状に形成した金属製のゴルフクラブヘッドにおいて、
バック側周壁部のソール部寄りの内壁面に、フェース部の背面に向かって突出するプレート部を形成することを特徴とするゴルフクラブヘッド。
【請求項２】
請求項１記載のゴルフクラブヘッドにおいて、
前記プレート部は、前記ソール部に対して略平行に配設されることを特徴とするゴルフクラブヘッド。
【請求項３】
請求項２記載のゴルフクラブヘッドにおいて、
前記プレート部は、前記バック側周壁部の中央部分に形成されることを特徴とするゴルフクラブヘッド。
【請求項４】
請求項１〜３のいずれか１項に記載のゴルフクラブヘッドにおいて、
前記バック側周壁部と前記プレート部とは、鋳造により一体成形されることを特徴とするゴルフクラブヘッド。
【発明の詳細な説明】
【技術分野】
【０００１】
本発明は、内部を中空状に形成した金属製のゴルフクラブヘッドに関する。
【背景技術】
【０００２】
金属からなり、内部が中空状に構成されるゴルフクラブヘッドでは、フェース部、クラウン部、ソール部、バック側周壁部等の構成部毎の肉厚分布が、打球の方向性や飛距離等に影響を与える。
【０００３】
各構成部の肉厚分布は、通常、強度の点で薄肉化に限界があるフェース部の肉厚が最も厚く、フェース部を除く構成部については、ヘッドの重心位置を低くするために、ソール部の肉厚が比較的厚く、クラウン部の肉厚が比較的薄く設定されている。ヘッドの重心位置を適正な低さに設定すると、打撃したゴルフボールが高弾道で飛行するため、飛距離を増大し易くなる。
【０００４】
一方、ヘッドの重心位置を深く、すなわち、フェース部から離れたバック寄りに設定すると、フェース面上のスイートエリアを拡大することができるため、バック側周壁部の肉厚を部分的に厚く形成したものがある。この場合、バック側周壁部は、トゥ側壁部及びヒール側壁部に連続しており、バック側周壁部のみの肉厚を鋳造によって極端に厚く製造することは、例えば、鋳造温度の制御の点から極めて困難である。
【０００５】
そこで、ヘッドの重心位置をバック側に大きく移動させるため、肉厚化する領域をトゥ側壁部及びヒール側壁部にまで拡大させ、あるいは、別部材をウエイトとしてバック側周壁部に取り付けることが提案されている（特許文献１、２参照）。
【０００６】
【特許文献１】特開２００１−３２１４７４号公報
【特許文献２】特開２００３−７０９４３号公報
【発明の開示】
【発明が解決しようとする課題】
【０００７】
しかしながら、バック側周壁部における肉厚領域を拡大すると、バック側周壁部の剛性が高くなり過ぎ、特にクラウン部の変形が妨げられると、ゴルフボールを打撃した際、ボールの弾道が低くなって飛距離の低下を招来するおそれがある。また、別部材としてウエイトを取り付ける場合においても、バック側周壁部に対するウエイトの取付面積が大き過ぎると、同様の問題が生じることになる。
【０００８】
なお、ウエイトをバック側周壁部に溶接によって固着する場合には、溶接工程が必要になるため、生産効率が下がってしまう不具合がある。また、ウエイトをバック側周壁部にねじ部材を用いて固定する場合には、ウエイト及びバック側周壁部に対するねじ孔の加工処理が必要であり、さらに生産効率が下がってしまう。
【０００９】
本発明は、バック側周壁部の剛性を過度に高めることなく、ヘッドの重心位置をバック側周壁部寄りの適切な位置に設定し、打球方向性を安定させるとともに飛距離を増大させることができるゴルフクラブヘッドを提供することを目的とする。
【課題を解決するための手段】
【００１０】
本発明は、内部を中空状に形成した金属製のゴルフクラブヘッドにおいて、
バック側周壁部のソール部寄りの内壁面に、フェース部の背面に向かって突出するプレート部を形成することを特徴とする（請求項１記載の発明）。
【００１１】
バック側周壁部の内壁面から突出するようにプレート部を形成することにより、バック側周壁部、特に、クラウン部側の剛性を過度に高めることなく、ヘッドの重心位置をバック側周壁部寄りとすることができる。この結果、飛距離の増大が期待されるとともに、スイートエリアが拡大されて安定した打球方向性を確保することが可能となる。
【００１２】
バック側周壁部の内壁面に形成するプレート部は、ソール部に対して略平行に配設することができる（請求項２記載の発明）。
【００１３】
また、プレート部をバック側周壁部の中央部分に形成することにより、トゥ側壁部及びヒール側壁部の可撓性を確保し、打球時におけるフェース部の弾発力を維持して十分な飛距離を得ることが可能となる（請求項３記載の発明）。
【００１４】
なお、バック側周壁部とプレート部とは、鋳造により一体成形することができる（請求項４記載の発明）。
【発明の効果】
【００１５】
本発明によれば、バック側周壁部の剛性を過度に高めることなく、ヘッドの重心位置を低く、且つ、バック側周壁部寄りとし、飛距離の増大及び打球方向性の安定化を達成することができる。
【発明を実施するための最良の形態】
【００１６】
以下、本発明の好適な実施形態を図面に基づいて説明する。図１は、本実施形態のゴルフクラブヘッド１０を分解した状態の正面図、図２は、図１に示すゴルフクラブヘッド１０を組み立てた状態のＩＩ−ＩＩ線断面図、図３は、図２に示すゴルフクラブヘッド１０のＩＩＩ−ＩＩＩ線断面図である。
【００１７】
ゴルフクラブヘッド１０は、１番ウッドクラブ、いわゆる、ドライバーであり、金属材料であるチタン合金から構成される。ゴルフクラブヘッド１０は、内部が中空状のヘッド本体部１２と、ヘッド本体部１２の開口部１４に溶接によって固着されるフェース部材１６とから構成される。
【００１８】
ヘッド本体部１２は、上面部を構成するクラウン部１８と、底面部を構成するソール部２０と、フェース部材１６の背面側に配設され、クラウン部１８及びソール部２０を連結するバック側周壁部２２と、トゥ側壁部２３と、ヒール側壁部２５と、ヒール側壁部２５に配設され、シャフトが連結されるホーゼル部２４と、バック側周壁部２２のソール部２０寄りの内壁面に配設されるプレート部２６とを構成部分とし、鋳造により一体成形される。
【００１９】
なお、本実施形態では、図２に示すように、フェース部材１６側の前端部とバック側周壁部２２の後端部との間に垂直中間面Ｃ（ｍ１＝ｍ２）を設定し、フェース部材１６側の周壁部をトゥ側壁部２３及びヒール側壁部２５とし、残りの周壁部をバック側周壁部２２と定義する。
【００２０】
プレート部２６の高さは、ソール部２０に対するクラウン部１８の最上部の高さの１／２よりも低ければよく、この範囲において、プレート部２６の形状や厚み等に応じた適切な高さを選択することができる。また、プレート部２６は、ソール部２０に対して略平行な状態に配設される三日月状の板材であるため、ヘッド本体部１２とともに鋳造によって高精度且つ容易に一体成形することができる。なお、プレート部２６をヘッド本体部１２と一体成形するのではなく、別途成形したプレート部２６をヘッド本体部１２のバック側周壁部２２に溶接によって固着してもよい。この場合、プレート部２６が板状であるため、バック側周壁部２２との溶接部分が少なく、プレート部２６を効率的に溶接することができる。
【００２１】
このように、ゴルフクラブヘッド１０のバック側周壁部２２の内壁面のソール部２０寄りの部位であって、ソール部２０に対して略平行となるようにプレート部２６を配設することにより、特に、クラウン部１８寄りのバック側周壁部２２の剛性がプレート部２６によって高くなることがない。そのため、打球時におけるフェース部材１６、クラウン部１８等の構成部材の変形が妨げられることがなく、十分な飛距離を維持することができる。
【００２２】
また、プレート部２６をバック側周壁部２２のソール部２０寄りの内壁面に形成しているため、ゴルフクラブヘッド１０の重心位置がソール部２０寄りに低く設定されるとともに、バック側周壁部２２側に深く、すなわち、フェース部材１６から離れて設定される。これにより、打球時にゴルフボールの弾道を高くして飛距離を増大することができ、また、スイートエリアを拡大して飛距離や打球方向を安定化することができる。
【００２３】
ここで、本実施形態では、図３に示すように、プレート部２６をバック側周壁部２２の略中央部分に形成しているが、プレート部２６をトゥ側壁部２３寄りの部位に形成すれば、ゴルフクラブヘッド１０の重心位置をトゥ寄りに調整することができ、また、プレート部２６をヒール側壁部２５寄りの部位に形成すれば、重心位置をヒール寄りに調整することができる。
【００２４】
また、プレート部２６のバック側周壁部２２に沿った長さとしては、ドライバーの場合には、３ｃｍ以上にすることができるが、プレート部２６の形状、材料、厚み等によって変更することも可能である。
【００２５】
さらに、本実施形態では、プレート部２６のフェース部材１６側に対する突出量が中央部分で最も大きく、両端に向かって徐々に小さくなる略三日月状に形成している。ヘッド本体部１２とプレート部２６とを一体的に鋳造する場合、プレート部２６のバック側周壁部２２からの突出量が小さい方が製造し易い。また、プレート部２６の厚みは、ゴルフクラブヘッド１０に必要な重量、重心位置等に応じて適宜変更することができる。本実施形態では、プレート部２６の厚みは、２〜３ｍｍ程度に形成しており、バック側周壁部２２の肉厚は、剛性が不足しないように０．７〜１．２ｍｍ程度に形成している。また、ソール部２０の肉厚は、バック側周壁部２２の肉厚よりも厚く、クラウン部１８の肉厚は、バック側周壁部２２の肉厚よりも僅かに薄く形成することにより、クラウン部１８及びソール部２０の剛性が不足しないようにするとともに、ゴルフクラブヘッド１０の重心位置を低くすることができる。
【図面の簡単な説明】
【００２６】
【図１】本実施形態のゴルフクラブヘッドを分解した状態の正面図である。
【図２】図１に示すゴルフクラブヘッドを組み立てた状態のＩＩ−ＩＩ線断面図である。
【図３】図２に示すゴルフクラブヘッドのＩＩＩ−ＩＩＩ線断面図である。
【符号の説明】
【００２７】
１０…ゴルフクラブヘッド  １２…ヘッド本体部
１４…開口部              １６…フェース部材
１８…クラウン部          ２０…ソール部
２２…バック側周壁部      ２３…トゥ側壁部
２４…ホーゼル部          ２５…ヒール側壁部
２６…プレート部
【図１】
2005152529.tif 000003
【図２】
2005152529.tif 000004
【図３】
2005152529.tif 000005